(57)【要約】【課題】視覚的なサービスとは異なる態様のサービスを遊技者に提供し得る遊技機を提供する。【解決手段】 内部に遊技に関する制御を行う遊技用制御手段を設けるとともに、前面に遊技領域を設けた遊技機枠体と、遊技機枠体の前面に設けられた排出口（貫通孔）５０を介して、遊技機枠体の外部に向かって送風する送風ファン（送風手段）５２と、送風手段の送風を制御する送風制御手段とを備えた遊技機とすることによって、遊技者の手等を乾燥させることを可能とした。【選択図】図７
2008000161.tif 000002
【特許請求の範囲】
【請求項１】
内部に遊技に関する制御を行う遊技用制御手段を設けるとともに、前面に遊技領域を設けた遊技機枠体と、
前記遊技機枠体の前面に設けられた貫通孔を介して、該遊技機枠体内の空気を前記遊技機枠体の外部に向かって送風する送風手段と、
前記送風手段の送風を制御する送風制御手段とを備えた、
ことを特徴とする遊技機。
【請求項２】
前記送風手段による送風動作の実行と停止とを遊技者の操作によって切り替える送風操作手段を備え、
前記送風制御手段は、前記送風操作手段の切り替え操作に応じて、前記送風手段の送風を制御する、
ことを特徴とする請求項１記載の遊技機。
【請求項３】
遊技者の存在を認識する認識手段を備え、
前記送風制御手段は、前記認識手段が遊技者の存在を認識したことに応じて、前記送風手段による送風を所定時間行うように制御する、
ことを特徴とする請求項１記載の遊技機。
【請求項４】
前記遊技機枠体の前面に設けられ、遊技者が遊技に関する操作を行う遊技操作手段を備え、
前記貫通孔は、前記遊技操作手段の周辺に設けられている、
ことを特徴とする請求項１〜３の何れか一項に記載の遊技機。
【発明の詳細な説明】
【技術分野】
【０００１】
本発明は遊技機に関するものである。
【背景技術】
【０００２】
従来の遊技機では、様々なサービスを遊技者に提供する機能が付与されている。
【０００３】
例えば、特開２００５−７４１７０号公報には、遊技機の台情報やパチンコホールが提供する各種サービスを表示するようにした遊技機が記載されている。
【０００４】
また、特開２００６−６１５１８号公報には、遊技の途中で遊技機メーカの運営するサイトのＵＲＬ情報をコード化したコード情報を表示するようにした遊技機が記載されている。
【特許文献１】特開２００５−７４１７０号公報
【特許文献２】特開２００６−６１５１８号公報
【発明の開示】
【発明が解決しようとする課題】
【０００５】
このように様々なサービスを提供する遊技機が知られているが、これらのサービスは、様々な情報を表示するといった視覚的なものであるため、視覚的なサービス以外のサービスを提供し得る遊技機が望まれている。
【０００６】
そこで、本発明は、視覚的なサービスとは異なる態様のサービスを遊技者に提供し得る遊技機を提供することを目的とする。
【課題を解決するための手段】
【０００７】
上記課題を解決するため、請求項１に記載の本発明の遊技機は、内部に遊技に関する制御を行う遊技用制御手段を設けるとともに、前面に遊技領域を設けた遊技機枠体と、前記遊技機枠体の前面に設けられた貫通孔を介して、該遊技機枠体内の空気を前記遊技機枠体の外部に向かって送風する送風手段と、前記送風手段の送風を制御する送風制御手段とを備えた、ことを特徴とする。
【０００８】
このように、遊技用制御手段は遊技機枠体の内部に設けられているため、遊技機枠体内の空気は、遊技用制御手段より発生する熱により温められ、当該温められた遊技機枠体内の空気は、送風手段によって貫通孔から遊技機枠体の外部に排出されるようになっている。
【０００９】
これにより、排出された熱を伴う空気によって、例えば手洗い等によって濡れた手を乾燥させることが可能となる。また、本来であれば、何ら役に立たずに排熱されていた遊技機枠体内の遊技用制御手段から発生した熱を、有効利用することができる。したがって、遊技者へ遊技以外のサービスを提供することにより、従来とは異なる態様でのサービスを可能な遊技機を提供し得る。
【００１０】
請求項２に記載の本発明は、請求項１に記載の発明の構成に加えて、前記送風手段による送風動作の実行と停止とを遊技者の操作によって切り替える送風操作手段を備え、前記送風制御手段は、前記送風操作手段の切り替え操作に応じて、前記送風手段の送風を制御する、ことを特徴とする。
【００１１】
このように、遊技者は送風操作手段の設定操作により、送風手段により送風させるか否かを切り替えることができるので、遊技者が送風を望むときにのみ送風させることが可能となる。
【００１２】
請求項３に記載の本発明は、請求項１に記載の発明の構成に加えて、遊技者の存在を認識する認識手段を備え、前記送風制御手段は、前記認識手段が遊技者の存在を認識したことに応じて、前記送風手段による送風を所定時間行うように制御する、ことを特徴とする。
【００１３】
このように、認識手段が遊技者の存在を認識したとき（すなわち、遊技者が遊技のために席に着いたとき）に、送風手段により所定の時間送風がなされるようになっている。これにより、例えば、手洗いなどのために一時席を遊技者が外した後に席に戻った場合、自動的に一定時間送風されるので、遊技者は送風の開始や停止の操作といった煩わしさから開放され、また、その後は特に手を乾燥させる必要もないので、自動的に送風をストップさせ、遊技の際に邪魔にならないようにすることが可能となる。
【００１４】
請求項４に記載の本発明は、請求項１〜３の何れか一項に記載の発明の構成に加えて、前記遊技機枠体の前面に設けられ、遊技者が遊技に関する操作を行う遊技操作手段を備え、前記貫通孔は、前記遊技操作手段の周辺に設けられている、ことを特徴とする。
【００１５】
このように、遊技者が操作を行う遊技操作手段の周辺に貫通孔は設けられているので、遊技中に遊技操作手段に添えられた遊技者の手を、貫通孔から送風される熱を伴う空気によって常に乾燥させることが可能となる。したがって、遊技に熱中しても、手は乾燥され続けるので手が汗ばむことはなく、遊技者は手の汗を気にせずに快適に遊技を続行することができるようになる。
【発明の効果】
【００１６】
本発明によれば、遊技機枠体の内部に設けた遊技用制御手段によって発生する熱で温められた空気を、貫通孔を介して遊技機枠体の前面に向かって送風することで、例えば遊技者の手などを乾燥させることが可能となり、従来とは異なった態様のサービスを遊技者に提供し得る遊技機を提供することが可能になる。
【発明を実施するための最良の形態】
【００１７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１８】
図１は本発明の一実施の形態である遊技機を示す斜視図、図２は図１に示した遊技機の正面を示す正面図、図３は図２に示した遊技盤の正面を示す正面図、図４は図１に示した遊技機の要部を示す分解斜視図、図５は本実施の形態に係る本体の要部の正面を示す正面図、図６は本実施の形態に係る本体の裏面（背面）を示す斜視図、図７は本実施の形態に係る皿ユニットを示す分解斜視図、図８は送風ファンの回転機構の他の例を示すブロック図、図９はハンドル周辺の他の例を示す斜視図である。
【００１９】
図１〜図４に示すように、パチンコ遊技機（遊技機枠体）１は、遊技店の島設備に取り付けられる外枠９と、該外枠９に支持され、遊技の実行のときに必要な所定の機構が取り付けられる本体１０と、遊技盤２１（図２および図３参照）の背後に設けられ、本体１０に対しこの本体１０の表面側から取り付けられる表示装置としての液晶表示装置（図４参照）２２と、この本体１０に取り付けられるガラス扉３、上皿部４、皿ユニット５、カバー６およびハンドル(遊技操作手段）７とを備えている。
【００２０】
図１、図２および図４に示すように、ガラス扉３と上皿部４とは一体化されて形成されており、この一体化された開閉扉（開閉体）２３は、その一端が本体１０に回動可能に軸支され、他端が本体１０に係合するようになっている。ガラス扉３は、遊技盤２１を視認可能に覆うものである。
【００２１】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２２】
また、上皿部４には、遊技者が操作可能な送風ボタン(送風操作手段）５１が設けられている。そして、遊技者は当該送風ボタン５１を押下することによって、後述する送風ファン５２を回転させることができるようになっている。
【００２３】
上皿部４の下側に位置する皿ユニット５は、本体１０に固定されており、払い出しにより上皿４ａからオーバーフローした遊技球が貯留される下皿５ａを有している。
【００２４】
さらに、皿ユニット５の前面左側には、例えば手洗い等によって濡れた遊技者の手を乾燥させるために温められた空気が排出される排出口（貫通孔）５０が取り付けられている。なお、排出口５０から送風される具体的な構造については後述する。
【００２５】
皿ユニット５の右側に設けられたハンドル７は、外レール１１ａおよび内レール１１ｂ（図３参照）を介して遊技盤２１の遊技領域２１ａへ遊技球を打ち込む際に回動操作されるものであり、遊技球の発射を停止させるストップボタン（図示せず）が設けられている。
【００２６】
ガラス扉３の上側に位置するカバー６は本体１０に固定されており、カバー６の左右の部位６ａ，６ｂは、本体１０に設けられる左右のスピーカ１１０，１２０にそれぞれ対応して、スピーカ１１０，１２０からの音声が聞こえるような構造になっている。
【００２７】
液晶表示装置２２は、演出画像（例えば、遊技状態に対応したアニメーションやその他の報知情報など）等を表示可能な表示領域を備えている。
【００２８】
遊技盤２１は、図３に示すように、外レール１１ａおよび内レール１１ｂに包囲され、遊技球の流下が可能な遊技領域２１ａを有している。そして、その遊技領域２１ａには、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００２９】
この実施の形態では、遊技盤２１は、透明部材（透光性部材）で形成されており、液晶表示装置（ＬＣＤ）２２を視認可能に本体１０に対しこの本体１０の表面側から取り付けられてる。また、液晶表示装置２２に代替して、例えばプラズマディスプレイ等の表示手段を用いることもできる。
【００３０】
次に、遊技機について、図４〜図６を参照して説明する。
【００３１】
図４は、図１に示した遊技機の要部を示す分解斜視図を示している。この図４において、図１に示した構成要素と同様の機能を果たす部分には同一の符号を付している。
【００３２】
また、図５は、本体の要部の正面を示す正面図であり、図６は、本体の裏面（背面）を示す斜視図である。なお、図５に示す例は、図４に示した本体１０の構成においてハンドル７を削除した構成になっている。
【００３３】
図４および図５に示すように、遊技店の島設備に取り付けられる外枠９にヒンジ９ａ，９ｂを介して回動可能に支持される本体１０には、スピーカ１１０，１２０が取り付けられた蓋部４１０，４２０が取り付けられる。そして、図４および図６に示すように、スピーカ１２０が取り付けられている本体１０の部位に対向する当該本体１０の裏面側には、遊技球が貯留される貯留タンク１３０が取り付けられている。
【００３４】
本体１０には、図４および図５に示すように、スピーカ１１０，１２０の下の所定の位置に、液晶表示装置２２が取り付けられている。また、本体１０には、図５に示すように遊技盤２１のブラケット（取付係止部）１０１，１０２，１０３，１０４を係止する取付係止部１４１，１４２，１４３，１４４が取り付けられている。すなわち、この図５に示す状態（本体１０に液晶表示装置２２が取り付けられた状態）で、さらに上記取付係止部１４１〜１４４と遊技盤２１のブラケット１０１〜１０４とが係合されることで、当該遊技盤２１が本体１０に固定されるようになっている。
【００３５】
本体１０は、スピーカ１１０，１２０の下の所定の位置において、開閉扉（ガラス扉３および上皿部４）２３を、遊技盤２１を視認可能に（つまり遊技盤２１を通して液晶表示装置２２を視認可能に）ヒンジを介して回動可能に支持するようになっている。
【００３６】
本体１０には、図４に示すように、スピーカ１１０，１２０を覆おうようにカバー６が固定されるとともに、開閉扉２３の下の位置に、皿ユニット５が固定される。
【００３７】
また、図６に示すように、本体１０の裏面側には、液晶表示装置２２の所定の画像の表示を制御する演出制御回路を構成する演出制御基板ユニット（図示せず）、この演出制御回路に対する制御指令や遊技全体の制御を司る主制御回路を構成する主制御基板ユニット（図示せず）、等の遊技用制御手段や、各電子部品が動作するために必要な電圧の電源（例えば２４Ｖ、１２Ｖ、５Ｖなど）を生成する電源ユニット（図示せず）などを有する制御系ケース１５０が取り付けられている。
【００３８】
このように、制御系ケース１５０には、発熱部材である遊技用制御手段が収納されているため、制御系ケース１５０が取り付けられた本体１０の背面と外枠９との間の空間は、本体１０の前面側と比べて高温になりやすくなっている。
【００３９】
この実施の形態では、本体１０に取り付けられる遊技の実行のときに必要な所定の機構とは、例えば、皿ユニット５、カバー６、ハンドル７、遊技盤２１、液晶表示装置２２、開閉扉２３、スピーカ１１０，１２０、貯留タンク１３０、取付係止部１４１〜１４４、制御系ケース１５０などである。なお、これらの機構（部材）は、一例に過ぎず、これら以外にも各種の機構が取り付けられる。
【００４０】
そして、本体１０の下部には、本体１０の前面と背面とを貫通する本体側開口部１７０が形成されている（図５および図６参照）。
【００４１】
次に、排出口５０から送風される具体的な構造について、図７を参照して説明する。なお、図７は皿ユニット５と排出口５０とを分解した斜視図である。
【００４２】
図７に示すように、排出口５０が前面に取り付けられた皿ユニット５には、本体側開口部１７０(図４参照）と連通する皿ユニット側開口部１７１が形成されている。したがって、本体１０の背面と排出口５０とは、本体側開口部１７０と皿ユニット側開口部１７１とを介して連通している。
【００４３】
これにより、本体１０の背面と外枠９との間の高温になった空気が、本体側開口部１７０を介して皿ユニット側開口部１７１に導かれるようになる。
【００４４】
皿ユニット側開口部１７１には、送風手段である送風ファン５２が取り付けられている。そして、送風ファン５２が回転することによって、送風ファン５２の背面側の空気が送風ファン５２の前面側に送風される。すなわち、送風ファン５２は、皿ユニット側開口部１７１に導かれた本体１０の背面と外枠９との間の高温になった空気を、強制的に排出口５０から外部に送風するようになっている。
【００４５】
したがって、排出口５０の前面付近に、例えば手洗い等によって濡れた遊技者の手をかざすと、送風ファン５２によって排出口５０から送風される本体１０の背面の高温の空気により、当該遊技者の手を乾燥させることができる。
【００４６】
なお、送風ファン５２は、上皿部４に取り付けられた送風ボタン５１(図１参照）の押下操作によって、送風を行う状態と送風を行わない状態とに切り替えることができるようになっている。
【００４７】
すなわち、送風ボタン５１を遊技者が押下する操作を行うと、信号が送風ファンコントローラ（送風制御手段）に送信される。ここで、送風ファンコントローラは、送風ファン用モータ(図示せず）を回転させる制御を実行する手段である。
【００４８】
そして、送風ファンコントローラの制御によって送風ファン用モータが回転すると、このモータのシャフトに取り付けられた送風ファン５２により、排出口５０から温風が排出される。
【００４９】
また、再び送風ボタン５１を押下する操作を行うと、信号が送風ファンコントローラに送信され、送風ファンコントローラは、送風ファン用モータを停止させる制御を行う。これにより、送風ファン５２は回転を止め、排出口５０からの送風が停止される。このように、遊技者は送風を望むときにのみ送風させることが可能となる。
【００５０】
なお、本実施の形態において、送風操作手段は、プッシュスイッチである送風ボタン５１であるが、これに限られない。例えば、トグルスイッチ、レバースイッチ、ロッカースイッチ等のオン・オフの切り替えが可能なスイッチとしてもよいし、液晶表示装置２２の画面表示を操作することによって、送風用ファンの稼働と停止とを切り替えるようにしてもよい。
【００５１】
また、送風ファン５２により、排出口５０を介して本体１０の背面で発生した高温の空気が外部に排出されるので、本体１０の背面の温度の上昇が緩和され、制御系ケース１５０に収納されている電子部品の熱の誤動作が防止されることになる。
【００５２】
以上説明したように、本実施の形態では、制御系ケース１５０に収納されている各電子部品より発生した熱によって温められた本体１０の背面と外枠９との間の空気が、本体側開口部１７０を介して皿ユニット側開口部１７１に送られた後、送風ファン５２によって排出口５０の前方へ向かって送風されるようになっている。
【００５３】
これにより、本来であれば、何ら役に立たずに排出されていた本体１０の背面と外枠９との間の空気の熱を、例えば手洗い等によって濡れた遊技者の手を乾燥させるために有効利用することができる。したがって、視覚的なサービスとは異なる態様のサービスを遊技者に提供することができる。
【００５４】
また、送風ファン５２は、遊技者が上皿部４に取り付けられた送風ボタン５１(図１参照）を押下する操作を行うと送風ファン用モータが稼働して排出口５０を介して外部へ送風を行い、送風ボタン５１を再び押下する操作を行うと送風を停止する。このように、遊技者は送風ボタン５１の押下操作によって、送風ファン５２が送風を行う状態と送風を行わない状態とに切り替えることができるようになっているので、遊技者が送風を望むとき（例えば、遊技者が手を乾かしたいとき）にのみ、送風が行われるようにすることが可能である。
【００５５】
なお、以上説明した実施の形態において、送風ファン５２は、遊技者による送風ボタン５１(図１参照）の押下によって送風動作の実行と停止とを切り替えられるようにしている。しかしこれに限らず、例えば、遊技機１の前面に、所定のエリア（例えば遊技機１の半径５０ｃｍ）の人の存在を検知するための人検知センサ（認識手段）５５を設け、当該人検知センサ５５が、遊技者の存在を検出した場合に所定の時間送風ファン５２が稼働するようにしてもよい。
【００５６】
具体的には、図８に示すように、人検知センサ５５が遊技者の存在を検出した場合、送風ファンコントローラ(送風制御手段）５６によって、送風ファン用モータ５７を所定時間(例えば３０秒）作動させる制御が実行される。
【００５７】
これにより、例えば、手洗いなどのために一時的に席を遊技者が外した後に席に戻った場合、自動的に送風されるので、遊技者は手を乾燥させる際に、送風の開始や停止の操作といった煩わしさから開放される。また、所定時間経過後は手も乾燥され、特に送風を続行させる必要もないので、自動的に送風をストップさせ、遊技の際に邪魔にならないようにすることが可能となる。
【００５８】
なお、認識手段である人検知センサは、遊技者の存在を認識するが、これに限らず、例えば排出口５０の近傍に、遊技者の手が近づいたことを検出するセンサを設けてもよい。
【００５９】
また、貫通孔である排出口５０は、図１に示すように、遊技機１の前面の左下の位置に設けられている。そのため、遊技者は右手で遊技操作手段であるハンドル７を操作しながら、濡れた左手を排出口５０にかざして乾燥させることが可能になっている。
【００６０】
しかしこれに限らず、例えば、図９に示すように、ハンドル７の周辺に一つまたは複数の排出口５０ａ，５０ｂ，５０ｃを設け、送風ファン５２は、当該排出口５０ａ，５０ｂ，５０ｃを介してハンドル７周辺の前方に向かって送風を行うようにしてもよい。
【００６１】
これにより、遊技中にハンドル７に添えられた遊技者の手を、排出口５０ａ，５０ｂ，５０ｃを介して送風ファン５２より送風される熱を伴う空気によって常に乾燥させることが可能となる。したがって、遊技に熱中しても、手は乾燥され続けるので手が汗ばむことはなく、遊技者は手の汗を気にせずに快適に遊技を続行することができるようになる。
【産業上の利用可能性】
【００６２】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【００６３】
【図１】本発明の一実施の形態である遊技機を示す斜視図である。
【図２】図１に示した遊技機の正面を示す正面図である。
【図３】図２に示した遊技盤の正面を示す正面図である。
【図４】図１に示した遊技機の要部を示す分解斜視図である。
【図５】本実施の形態に係る本体の要部の正面を示す正面図である。
【図６】本実施の形態に係る本体の裏面（背面）を示す斜視図である。
【図７】本実施の形態に係る皿ユニットを示す分解斜視図である。
【図８】送風ファンの回転機構の他の例を示すブロック図である。
【図９】ハンドル周辺の他の例を示す斜視図である。
【符号の説明】
【００６４】
１  遊技機
３  ガラス扉
４  上皿部
４ａ  上皿
５  皿ユニット
５ａ  下皿
６  カバー
６ａ，６ｂ  部位
７  ハンドル
８  シャッタレバー
９  外枠
９ａ，９ｂ  ヒンジ
１０  本体
１１ａ  外レール
１１ｂ  内レール
１２  一般入賞口
１３  通過ゲート
１４  始動入賞口
１５  大入賞口
１６  アウト口
１８  電動役物構成部材
２１  遊技盤
２１ａ  遊技領域
２２  液晶表示装置
２３  開閉扉
５０  排出口
５０ａ，５０ｂ，５０ｃ  排出口
５１  送風ボタン
５２  送風ファン
５５  人検知センサ
５６  送風ファンコントローラ
５７  送風ファン用モータ
１０１〜１０４  ブラケット
１１０，１２０  スピーカ
１３０  貯留タンク
１４１，１４２，１４３，１４４  取付係止部
１５０  制御系ケース
１７０  本体側開口部
１７１  皿ユニット側開口部
４１０，４２０  蓋部
【図１】
2008000161.tif 000003
【図２】
2008000161.tif 000004
【図３】
2008000161.tif 000005
【図４】
2008000161.tif 000006
【図５】
2008000161.tif 000007
【図６】
2008000161.tif 000008
【図７】
2008000161.tif 000009
【図８】
2008000161.tif 000010
【図９】
2008000161.tif 000011